(57)【要約】【課題】コンデンサのリードと回路基板との接続作業を容易に行うことができる電動圧縮機を提供すること。【解決手段】コンデンサホルダ２３の側壁２３ｅに、回路基板２１側の一端面２３１及び回路基板２１とは反対側の他端面２３２に開口するとともにリード２２ａを回路基板２１の接続箇所へ案内する貫通孔２３ｈを形成した。さらに、側壁２３ｅのフィルムコンデンサ２２側の壁面２３３に、貫通孔２３ｈに連続するとともに回路基板２１とは反対側から回路基板２１側に延在するスリット２３ｂを形成した。そして、フィルムコンデンサ２２の側面２２ｅから突出するリード２２ａをスリット２３ｂに挿通させるとともに、回路基板２１に向けて折り曲げられて回路基板２１に向けて延びるリード２２ａを貫通孔２３ｈに挿通する。【選択図】図４
2015007391.tif 000002
【特許請求の範囲】
【請求項１】
ハウジング内には、冷媒を圧縮する圧縮部及び該圧縮部を駆動させる電動モータが収容されており、前記電動モータを駆動させるモータ駆動回路は、回路基板と、リードが突出するとともに前記リードを介して前記回路基板に電気接続されたコンデンサとを有しており、前記コンデンサは、樹脂材料製のコンデンサホルダに保持されている電動圧縮機であって、
前記コンデンサホルダは、前記リードが突出する前記コンデンサの側面を覆う側壁を有しており、
前記側壁には、前記回路基板側の一端面及び前記回路基板とは反対側の他端面に開口するとともに前記リードを前記回路基板の接続箇所へ案内する貫通孔が形成されており、
前記側壁の前記コンデンサ側の壁面には、前記貫通孔に連続するとともに前記回路基板とは反対側から前記回路基板側に延在するスリットが形成されていることを特徴とする電動圧縮機。
【請求項２】
前記コンデンサは、略直方体形状であり、
前記コンデンサホルダは、前記コンデンサの四面を囲むように前記側壁を一面に含む角筒状に形成されていることを特徴とする請求項１に記載の電動圧縮機。
【請求項３】
前記モータ駆動回路は、前記コンデンサを複数有しており、
前記コンデンサホルダは、前記複数のコンデンサを保持することを特徴とする請求項２に記載の電動圧縮機。
【請求項４】
前記側壁には、隣り合う前記コンデンサにそれぞれ対応する前記貫通孔が形成されていることを特徴とする請求項３に記載の電動圧縮機。
【請求項５】
前記側壁の一端面には、隣り合う前記コンデンサにそれぞれ対応する前記貫通孔の開口が同一直線上に並んで配置されており、
隣り合う前記コンデンサは、前記開口が並ぶ方向にずれて配置されていることを特徴とする請求項４に記載の電動圧縮機。
【発明の詳細な説明】
【技術分野】
【０００１】
本発明は、冷媒を圧縮する圧縮部、圧縮部を駆動させる電動モータ、及び電動モータを駆動させるモータ駆動回路を有する電動圧縮機に関する。
【背景技術】
【０００２】
この種の電動圧縮機は、例えば特許文献１に開示されている。モータ駆動回路は、平板状の回路基板と、回路基板に電気接続された複数種類の電気部品等とから構成されている。電気部品としては、スイッチング素子、コンデンサ等が挙げられる。コンデンサは複数設けられるとともに、各コンデンサは、リードが突出しており、リードを介して回路基板に電気接続されている。各コンデンサはコンデンサホルダに保持されている。
【０００３】
ここで、リードの突出方向と回路基板における電気部品等が搭載される搭載面とが直交するようにコンデンサが配置されていると、電動圧縮機が、回路基板の搭載面に対して直交する方向において大型化してしまう。そこで、リードの突出方向と回路基板の搭載面とが平行になるようにコンデンサを配置するとともに、リードを回路基板の搭載面に向けて折り曲げることが考えられる。これによれば、リードが折り曲げられておらず、リードの突出方向と回路基板の搭載面とが直交するようにコンデンサが配置されている場合に比べると、電動圧縮機が、回路基板の搭載面に対して直交する方向において小型化される。
【先行技術文献】
【特許文献】
【０００４】
【特許文献１】特開２００７−２６３０６１号公報
【発明の概要】
【発明が解決しようとする課題】
【０００５】
しかしながら、リードの折り曲げ部位が形成される位置は、リードの折り曲げ工程上、各コンデンサによってバラツキが生じる。このため、コンデンサがコンデンサホルダに保持された状態において、コンデンサのリードと回路基板とを接続する際に、回路基板の搭載面に向けて延びるリードの位置が、回路基板におけるリードとの接続箇所に対してずれてしまう場合がある。すると、コンデンサのリードと回路基板との接続作業が困難なものとなってしまう。
【０００６】
本発明は、上記課題を解決するためになされたものであって、その目的は、コンデンサのリードと回路基板との接続作業を容易に行うことができる電動圧縮機を提供することにある。
【課題を解決するための手段】
【０００７】
上記課題を解決する電動圧縮機は、ハウジング内には、冷媒を圧縮する圧縮部及び該圧縮部を駆動させる電動モータが収容されており、前記電動モータを駆動させるモータ駆動回路は、回路基板と、リードが突出するとともに前記リードを介して前記回路基板に電気接続されたコンデンサとを有しており、前記コンデンサは、樹脂材料製のコンデンサホルダに保持されている電動圧縮機であって、前記コンデンサホルダは、前記リードが突出する前記コンデンサの側面を覆う側壁を有しており、前記側壁には、前記回路基板側の一端面及び前記回路基板とは反対側の他端面に開口するとともに前記リードを前記回路基板の接続箇所へ案内する貫通孔が形成されており、前記側壁の前記コンデンサ側の壁面には、前記貫通孔に連続するとともに前記回路基板とは反対側から前記回路基板側に延在するスリットが形成されている。
【０００８】
これによれば、コンデンサの側面から突出するリードをスリットに挿通させるとともに、回路基板に向けて折り曲げられて回路基板に向けて延びるリードを貫通孔に挿通することにより、回路基板に向けて延びるリードの位置が、回路基板の接続箇所に位置された状態で、コンデンサをコンデンサホルダに保持することができる。その結果、コンデンサがコンデンサホルダに保持された状態において、コンデンサのリードと回路基板との接続作業を容易に行うことができる。
【０００９】
上記電動圧縮機において、前記コンデンサは、略直方体形状であり、前記コンデンサホルダは、前記コンデンサの四面を囲むように前記側壁を一面に含む角筒状に形成されていることが好ましい。
【００１０】
これによれば、側壁を一面に含む角筒状に形成されたコンデンサホルダによってコンデンサの四面を囲っているため、コンデンサホルダによってコンデンサを確実に保持することができる。
【００１１】
上記電動圧縮機において、前記モータ駆動回路は、前記コンデンサを複数有しており、前記コンデンサホルダは、前記複数のコンデンサを保持することが好ましい。
これによれば、一つのコンデンサホルダで複数のコンデンサにおける回路基板に向けて延びるリードの位置を、回路基板の接続箇所に位置させることができるため、複数のコンデンサのリードにおける回路基板への接続作業を容易に行うことができる。
【００１２】
上記電動圧縮機において、前記側壁には、隣り合う前記コンデンサにそれぞれ対応する前記貫通孔が形成されていることが好ましい。
これによれば、隣り合うコンデンサにそれぞれ対応する貫通孔が一つの側壁に形成されているため、隣り合うコンデンサにそれぞれ対応する貫通孔を別々の側壁にそれぞれ形成する場合に比べると、コンデンサホルダを小型化することができるとともに構成を簡素化することができる。
【００１３】
上記電動圧縮機において、前記側壁の一端面には、隣り合う前記コンデンサにそれぞれ対応する前記貫通孔の開口が同一直線上に並んで配置されており、隣り合う前記コンデンサは、前記開口が並ぶ方向にずれて配置されていることが好ましい。
【００１４】
これによれば、隣り合うコンデンサのリードが互いに干渉してしまうことを防止することができるとともに、隣り合うコンデンサ同士を極力近づけることができる。その結果、コンデンサホルダを小型化することができ、電動圧縮機の小型化に寄与することができる。
【発明の効果】
【００１５】
この発明によれば、コンデンサのリードと回路基板との接続作業を容易に行うことができる。
【図面の簡単な説明】
【００１６】
【図１】実施形態における電動圧縮機を示す部分側断面図。
【図２】フィルムコンデンサ及びコンデンサホルダの分解斜視図。
【図３】フィルムコンデンサが保持されたコンデンサホルダ、及び回路基板を示す斜視図。
【図４】フィルムコンデンサ及びコンデンサホルダの一部を示す縦断面図。
【発明を実施するための形態】
【００１７】
以下、本発明を具体化した一実施形態を図１〜図４にしたがって説明する。
図１に示すように、電動圧縮機１０のハウジングＨは、有蓋筒状をなすアルミニウム製（金属材料製）の吐出ハウジング１１と、有底筒状をなすアルミニウム製（金属材料製）の吸入ハウジング１２と、有蓋筒状をなすアルミニウム製（金属材料製）のカバー１３とを有している。吸入ハウジング１２は、吐出ハウジング１１に接合されている。吸入ハウジング１２の周壁には、図示しない吸入ポートが形成されるとともに、吸入ポートは図示しない外部冷媒回路に接続されている。吐出ハウジング１１には吐出ポート１４が形成されるとともに、吐出ポート１４は外部冷媒回路に接続されている。吸入ハウジング１２内には、冷媒を圧縮するための圧縮部１５（図１において破線で示す）と、圧縮部１５を駆動するための電動モータ１６とが収容されている。なお、本実施形態では、特に図示は省略するが、圧縮部１５は、吸入ハウジング１２内に固定された固定スクロールと、固定スクロールに対向配置された可動スクロールとで構成されている。
【００１８】
吸入ハウジング１２の内周面にはステータ１７（固定子）が固定されるとともに、ステータ１７は、吸入ハウジング１２の内周面に固定されたステータコア１７ａのティース（図示せず）にコイル１７ｂが巻回されて構成されている。また、吸入ハウジング１２内には、回転軸１９がステータ１７内に挿通された状態で回転可能に支持されるとともに、この回転軸１９には、ロータ１８（回転子）が止着されている。
【００１９】
吸入ハウジング１２の底壁１２ａには、カバー１３が取り付けられている。吸入ハウジング１２とカバー１３との間には、板状であるアルミニウム製（金属材料製）の取付ベース３１が介在されている。取付ベース３１は、吸入ハウジング１２の底壁１２ａに取り付けられており、吸入ハウジング１２と熱的に結合している。
【００２０】
そして、カバー１３と取付ベース３１とによってハウジングＨ内に収容部１３ａが区画されている。収容部１３ａ内には、電動モータ１６を駆動させるためのモータ駆動回路２０が収容されている。本実施形態では、圧縮部１５、電動モータ１６及びモータ駆動回路２０がこの順序で回転軸１９の軸線Ｌが延びる方向（軸方向）に沿って並んで配置されている。
【００２１】
モータ駆動回路２０によって制御された電力が電動モータ１６に供給されることにより、制御された回転速度でロータ１８と共に回転軸１９が回転するとともに、圧縮部１５が駆動されるようになっている。この圧縮部１５の駆動により、外部冷媒回路から吸入ポートを介した吸入ハウジング１２内への冷媒の吸入、吸入ハウジング１２内に吸入された冷媒の圧縮部１５による圧縮、及び圧縮された冷媒の吐出ポート１４を介した外部冷媒回路への吐出が行われるようになっている。
【００２２】
モータ駆動回路２０は、平板状の回路基板２１と、回路基板２１に電気接続された複数種類の電気部品等とから構成されている。回路基板２１は、回転軸１９の軸方向に回路基板２１における電気部品等が搭載される搭載面２１ａが直交するように収容部１３ａに収容されている。電気部品としては、例えば、コンデンサとしてのフィルムコンデンサ２２が挙げられる。モータ駆動回路２０は、フィルムコンデンサ２２を複数有する。各フィルムコンデンサ２２は、その外郭が扁平略直方体形状になっている。各フィルムコンデンサ２２の側面２２ｅには、リード２２ａが突出しており、各フィルムコンデンサ２２は、リード２２ａを介して回路基板２１に電気接続されている。
【００２３】
各フィルムコンデンサ２２は、樹脂材料製のコンデンサホルダ２３により保持されている。コンデンサホルダ２３は、各フィルムコンデンサ２２を保持した状態で、取付ベース３１における吸入ハウジング１２の底壁１２ａとは反対側に取り付けられる。
【００２４】
取付ベース３１における吸入ハウジング１２の底壁１２ａとは反対側の面には、ボス部３１ｆが複数（図１では一つの図示）突設されている。そして、カバー１３に挿通されたボルトＢ１がボス部３１ｆにねじ込まれることで、取付ベース３１がカバー１３に取り付けられる。これにより、カバー１３、取付ベース３１及びモータ駆動回路２０がモジュール化される。そして、カバー１３、取付ベース３１及びモータ駆動回路２０がモジュール化された状態において、カバー１３がボルトＢ２によって吸入ハウジング１２に取り付けられる。
【００２５】
図２及び図３に示すように、各フィルムコンデンサ２２は、側面２２ｅからのリード２２ａの突出方向（矢印Ｘ１の方向）と回路基板２１の搭載面２１ａとが平行になるように配置されている。各リード２２ａは、回路基板２１の搭載面２１ａに向けて折り曲げられている。
【００２６】
コンデンサホルダ２３には、各フィルムコンデンサ２２を一つずつ収容可能な収容部２３ａが複数形成されている。各収容部２３ａは、各フィルムコンデンサ２２の四面を囲むように、各フィルムコンデンサ２２の側面２２ｅを覆う側壁２３ｅを一面に含む角筒状に形成されている。
【００２７】
図４に示すように、コンデンサホルダ２３の側壁２３ｅには、回路基板２１側の一端面２３１及び回路基板２１とは反対側の他端面２３２に開口するとともに、各リード２２ａを回路基板２１の接続箇所へ案内する貫通孔２３ｈが複数形成されている。
【００２８】
図２及び図３に示すように、コンデンサホルダ２３の収容部２３ａには、回路基板２１側に延在し、各フィルムコンデンサ２２の取付ベース３１とは反対側の一端面を係止する第１係止片２５が複数設けられている。さらに、コンデンサホルダ２３の収容部２３ａには、回路基板２１とは反対側に延在し、各フィルムコンデンサ２２の取付ベース３１側の他端面を係止する第２係止片２６が複数設けられている。
【００２９】
隣り合う二つのフィルムコンデンサ２２は、リード２２ａが突出する側面２２ｅが対向配置されるようにコンデンサホルダ２３に保持されている。対向配置された側面２２ｅの間に位置する側壁２３ｅには、隣り合うフィルムコンデンサ２２にそれぞれ対応する各貫通孔２３ｈが形成されている。そして、側壁２３ｅの一端面２３１には、隣り合うフィルムコンデンサ２２にそれぞれ対応する各貫通孔２３ｈの開口が同一直線上に並んで配置されている。また、隣り合うフィルムコンデンサ２２は、各貫通孔２３ｈの開口が並ぶ方向（矢印Ｚ１の方向）にずれて配置されている。
【００３０】
図４に示すように、側壁２３ｅのフィルムコンデンサ２２側の壁面２３３には、貫通孔２３ｈに連続するとともに回路基板２１とは反対側から回路基板２１側に延在するスリット２３ｂが形成されている。スリット２３ｂには、リード２２ａの折り曲げ部位から基端側が挿通可能になっている。各フィルムコンデンサ２２は、回路基板２１の搭載面２１ａに向けて延びる各リード２２ａの延設方向（矢印Ｙ１の方向）に沿って各収容部２３ａに挿入される。すると、回路基板２１の搭載面２１ａに向けて延びるリード２２ａが貫通孔２３ｈに挿通されて回路基板２１の接続箇所へ案内される。さらに、リード２２ａの折り曲げ部位から基端側がスリット２３ｂに挿通されてコンデンサホルダ２３によって覆われる。そして、各フィルムコンデンサ２２は、第１係止片２５及び第２係止片２６によって挟み込まれることで、各収容部２３ａに収容された状態で保持されている。
【００３１】
次に、本実施形態の作用について説明する。
フィルムコンデンサ２２の側面２２ｅから突出するリード２２ａの折り曲げ部位から基端側をスリット２３ｂに挿通させるとともに、回路基板２１の搭載面２１ａに向けて延びるリード２２ａを貫通孔２３ｈに挿通する。これにより、回路基板２１の搭載面２１ａに向けて延びるリード２２ａの位置が、回路基板２１の接続箇所に位置された状態で、フィルムコンデンサ２２がコンデンサホルダ２３に保持される。その結果、フィルムコンデンサ２２がコンデンサホルダ２３に保持された状態において、フィルムコンデンサ２２のリード２２ａと回路基板２１との接続作業が容易なものとなる。
【００３２】
また、回路基板２１の搭載面２１ａに向けて延びるリード２２ａが貫通孔２３ｈに挿通されていることにより、フィルムコンデンサ２２のリード２２ａと回路基板２１とを接続する際に、回路基板２１の搭載面２１ａに向けて延びるリード２２ａが曲がってしまうことが抑制され、リード２２ａへの応力が低減される。
【００３３】
上記実施形態では以下の効果を得ることができる。
（１）コンデンサホルダ２３の側壁２３ｅに、回路基板２１側の一端面２３１及び回路基板２１とは反対側の他端面２３２に開口するとともにリード２２ａを回路基板２１の接続箇所へ案内する貫通孔２３ｈを形成した。さらに、側壁２３ｅのフィルムコンデンサ２２側の壁面２３３に、貫通孔２３ｈに連続するとともに回路基板２１とは反対側から回路基板２１側に延在するスリット２３ｂを形成した。そして、フィルムコンデンサ２２の側面２２ｅから突出するリード２２ａをスリット２３ｂに挿通させるとともに、回路基板２１に向けて折り曲げられて回路基板２１に向けて延びるリード２２ａを貫通孔２３ｈに挿通する。これにより、回路基板２１に向けて延びるリード２２ａの位置が、回路基板２１におけるリード２２ａとの接続箇所に位置された状態で、フィルムコンデンサ２２をコンデンサホルダ２３に保持することができる。その結果、フィルムコンデンサ２２がコンデンサホルダ２３に保持された状態において、フィルムコンデンサ２２のリード２２ａと回路基板２１との接続作業を容易に行うことができる。
【００３４】
（２）フィルムコンデンサ２２は、略直方体形状であり、コンデンサホルダ２３は、フィルムコンデンサ２２の四面を囲むように側壁２３ｅを一面に含む角筒状に形成されている。これによれば、側壁２３ｅを一面に含む角筒状に形成されたコンデンサホルダ２３によってフィルムコンデンサ２２の四面を囲っているため、コンデンサホルダ２３によってフィルムコンデンサ２２を確実に保持することができる。
【００３５】
（３）モータ駆動回路２０は、フィルムコンデンサ２２を複数有しており、コンデンサホルダ２３は、複数のフィルムコンデンサ２２を保持している。これによれば、一つのコンデンサホルダ２３で複数のフィルムコンデンサ２２における回路基板２１に向けて延びるリード２２ａの位置を、回路基板２１の接続箇所に位置させることができる。よって、複数のフィルムコンデンサ２２のリード２２ａにおける回路基板２１への接続作業を容易に行うことができる。
【００３６】
（４）コンデンサホルダ２３の側壁２３ｅには、隣り合うフィルムコンデンサ２２にそれぞれ対応する貫通孔２３ｈが形成されている。これによれば、隣り合うフィルムコンデンサ２２にそれぞれ対応する貫通孔２３ｈが一つの側壁２３ｅに形成されているため、隣り合うフィルムコンデンサ２２にそれぞれ対応する貫通孔２３ｈを別々の側壁にそれぞれ形成する場合に比べると、コンデンサホルダ２３を小型化することができるとともに構成を簡素化することができる。
【００３７】
（５）コンデンサホルダ２３の側壁２３ｅの一端面２３１には、隣り合うフィルムコンデンサ２２にそれぞれ対応する貫通孔２３ｈの開口が同一直線上に並んで配置されており、隣り合うフィルムコンデンサ２２は、貫通孔２３ｈの開口が並ぶ方向にずれて配置されている。これによれば、隣り合うフィルムコンデンサ２２のリード２２ａが互いに干渉してしまうことを防止することができるとともに、隣り合うフィルムコンデンサ２２同士を極力近づけることができる。その結果、コンデンサホルダ２３を小型化することができ、電動圧縮機１０の小型化に寄与することができる。
【００３８】
（６）本実施形態によれば、リード２２ａの折り曲げ部位から基端側をコンデンサホルダ２３によって覆うことができるため、リード２２ａの折り曲げ部位から基端側がコンデンサホルダ２３から露出している場合に比べると、リード２２ａの絶縁を確保し易くすることができる。
【００３９】
（７）リード２２ａの折り曲げ部位から基端側をスリット２３ｂに挿入することで、リード２２ａの折り曲げ部位から基端側をコンデンサホルダ２３によって覆うことができるため、各フィルムコンデンサ２２から突出する隣り合うリード２２ａ同士の距離を近づけたとしても、リード２２ａ同士の間の絶縁を確保することができる。よって、各フィルムコンデンサ２２から突出する隣り合うリード２２ａ同士の距離を極力近づけることができ、コンデンサホルダ２３を小型化することができる。
【００４０】
なお、上記実施形態は以下のように変更してもよい。
○  実施形態において、リード２２ａの折り曲げ部位から基端側がコンデンサホルダ２３から露出していてもよい。
【００４１】
○  実施形態において、隣り合うフィルムコンデンサ２２にそれぞれ対応する各貫通孔２３ｈの開口が、フィルムコンデンサ２２の側面２２ｅからのリード２２ａの突出方向（矢印Ｘ１の方向）に並ぶように各貫通孔２３ｈが側壁２３ｅに形成されていてもよい。
【００４２】
○  実施形態において、隣り合うフィルムコンデンサ２２にそれぞれ対応する各貫通孔２３ｈが別々の側壁にそれぞれ形成されていてもよい。
○  実施形態において、フィルムコンデンサ２２を一つだけ保持可能なコンデンサホルダであってもよい。
【００４３】
○  実施形態において、フィルムコンデンサ２２の数は、特に限定されるものではない。
○  実施形態において、コンデンサとして、例えば電解コンデンサを用いてもよい。
【００４４】
○  実施形態において、例えば、モータ駆動回路２０が回転軸１９の径方向外側に配置されていてもよい。
○  実施形態において、圧縮部１５は、例えば、ピストンタイプやベーンタイプ等であってもよい。
【００４５】
次に、上記各実施形態及び別例から把握できる技術的思想について以下に追記する。
（イ）前記コンデンサはフィルムコンデンサであることが好ましい。
（ロ）前記電動モータを構成するロータと一体的に回転する回転軸が前記ハウジング内に収容されており、前記圧縮部、前記電動モータ及び前記モータ駆動回路がこの順序で前記回転軸の軸方向に沿って並んで配置されていることが好ましい。
【符号の説明】
【００４６】
Ｈ…ハウジング、１０…電動圧縮機、１５…圧縮部、１６…電動モータ、１８…ロータ、１９…回転軸、２０…モータ駆動回路、２１…回路基板、２２…コンデンサとしてのフィルムコンデンサ、２２ａ…リード、２２ｅ…側面、２３…コンデンサホルダ、２３ｂ…スリット、２３ｅ…側壁、２３ｈ…貫通孔、２３１…一端面、２３２…他端面、２３３…壁面。
【図１】
2015007391.tif 000003
【図２】
2015007391.tif 000004
【図３】
2015007391.tif 000005
【図４】
2015007391.tif 000006